(57)【要約】【課題】聴感上の違和感を抑止する。【解決手段】実施形態の音響補正装置は、入力手段と、算出手段と、分割手段と、変換手段と、抽出手段と、合成手段と、生成手段と、を備える。入力手段は、再生音場を伝播した音声信号を入力する。算出手段は、音声信号からインパルス応答を算出する。分割手段は、直接音又は初期反射音を含む第１の時間領域と、残響音成分を含む第２の時間領域とで、インパルス応答を分割する。変換手段は、分割されたインパルス応答を、それぞれ周波数スペクトルに変換する。抽出手段は、第１の時間領域から変換された周波数スペクトルの振幅成分と比べて、第２の時間領域から変換された周波数スペクトルの振幅成分が相対的に高いピークを有する周波数成分を特定し、共鳴成分として抽出する。合成手段は、予め定められた特性と、抽出された共鳴成分を減衰させる特性と、を合成する。生成手段は、合成された特性に補正する。【選択図】図１
2012015792.tif 000002
【特許請求の範囲】
【請求項１】
再生音場を伝播した音声信号を入力する入力手段と、
前記音声信号からインパルス応答を算出する算出手段と、
直接音又は初期反射音を含むものとして予め定められた第１の時間領域と、残響音成分を含むものとして予め定められた第２の時間領域とで、前記インパルス応答を分割する分割手段と、
前記第１の時間領域の前記インパルス応答と、前記第２の時間領域の前記インパルス応答とを、それぞれ周波数スペクトルに変換する変換手段と、
前記第１の時間領域から変換された周波数スペクトルの振幅成分と比べて、前記第２の時間領域から変換された周波数スペクトルの振幅成分が相対的に高いピークを有する周波数成分を特定し、これを共鳴成分として抽出する抽出手段と、
予め定められた特性と、この抽出された前記共鳴成分を減衰させる特性と、を合成する合成手段と、
この合成された特性に補正する補正フィルタを生成する生成手段と、
を備えることを特徴とする音響補正装置。
【請求項２】
前記分割手段は、再生音場において出力された音が前記入力手段に直接到達するまでの経路長、または壁面あるいは床面で１次反射した音が前記入力手段に到達するまでの経路長と、音速と、に基づいて定められた前記第１の時間領域と、前記第２の時間領域と、前記インパルス応答を分割すること、
を特徴とする請求項１に記載の音響補正装置。
【請求項３】
音声信号を出力する出力手段と、
前記出力手段により出力された後、再生音場を伝播した前記音声信号を入力する入力手段と、
前記音声信号からインパルス応答を算出する算出手段と、
直接音又は初期反射音を含むものとして予め定められた第１の時間領域と、残響音成分を含むものとして予め定められた第２の時間領域とで、前記インパルス応答を分割する分割手段と、
前記第１の時間領域の前記インパルス応答と、前記第２の時間領域の前記インパルス応答と、を、それぞれ周波数スペクトルに変換する変換手段と、
前記第１の時間領域から変換された周波数スペクトルの振幅成分と比べて、前記第２の時間領域から変換された周波数スペクトルの振幅成分が相対的に高いピークを有する周波数成分を特定し、これを共鳴成分として抽出する抽出手段と、
予め定められた特性と、この抽出された前記共鳴成分を減衰させる特性と、を合成する合成手段と、
この合成された特性に補正する補正フィルタを生成する生成手段と、
前記生成手段により生成された前記補正フィルタを用いて、前記出力手段が出力する前記音声信号に対してフィルタリングを行うフィルタ手段と、
を備えることを特徴とする音響出力装置。
【請求項４】
再生音場の音響特性を測定するための音声信号を生成する信号生成手段を、さらに備え、
前記出力手段は、前記信号生成手段により生成された前記音声信号を出力すること、
を特徴とする請求項３に記載の音響出力装置。
【請求項５】
音響補正装置で実行される音響補正方法であって、
入力手段が、再生音場を伝播した音声信号を入力する入力ステップと、
算出手段が、前記音声信号からインパルス応答を算出する算出ステップと、
分割手段が、直接音又は初期反射音を含むものとして予め定められた第１の時間領域と、残響音成分を含むものとして予め定められた第２の時間領域とで、前記インパルス応答を分割する分割ステップと、
変換手段が、前記第１の時間領域の前記インパルス応答と、前記第２の時間領域の前記インパルス応答と、を、それぞれ周波数スペクトルに変換する変換ステップと、
抽出手段が、前記第１の時間領域から変換された周波数スペクトルの振幅成分と比べて、前記第２の時間領域から変換された周波数スペクトルの振幅成分が相対的に高いピークを有する周波数成分を特定し、これを共鳴成分として抽出する抽出ステップと、
合成手段が、予め定められた特性と、この抽出された前記共鳴成分を減衰させる特性と、を合成する合成ステップと、
生成手段が、この合成された特性に補正する補正フィルタを生成する生成ステップと、
を含むことを特徴とする音響補正方法。
【発明の詳細な説明】
【技術分野】
【０００１】
本発明の実施形態は、音響補正装置、音響出力装置、及び音響補正方法に関する。
【背景技術】
【０００２】
従来から、テレビ等の各種ＡＶ機器においては、音声を出力する際に、オ−ディオ信号の再生を阻害する様々な要因が存在する。そこで、出力される音声を忠実な音質にするために様々な技術が提案されている。
【０００３】
例えば、従来技術としては、デジタル・オーディオ・フィルタの周波数、振幅及び帯域幅を自動的に最適し、デジタル・オーディオ・フィルタを用いてラウドスピーカをイコライズする技術が開示されている。
【先行技術文献】
【特許文献】
【０００４】
【特許文献１】特開２０００−１５２３７４号公報
【発明の概要】
【発明が解決しようとする課題】
【０００５】
しかしながら、従来技術においては、音声信号を出力する筐体の共鳴について注目していない。このため、従来技術を用いて出力された音声信号には、筐体共鳴成分が含まれているため、受聴者に聴感上の違和感を与える。
【０００６】
本発明は、上記に鑑みてなされたものであって、受聴者の聴感上の違和感を抑止する音響補正装置、音響出力装置、及び音響補正方法を提供することを目的とする。
【課題を解決するための手段】
【０００７】
実施形態の音響補正装置は、入力手段と、算出手段と、分割手段と、変換手段と、抽出手段と、合成手段と、生成手段と、を備える。入力手段は、再生音場を伝播した音声信号を入力する。算出手段は、音声信号からインパルス応答を算出する。分割手段は、直接音又は初期反射音を含むものとして、予め定められた第１の時間領域と、残響音成分を含むものとして、予め定められた第２の時間領域とで、インパルス応答を分割する。変換手段は、第１の時間領域のインパルス応答と、第２の時間領域のインパルス応答と、を、それぞれ周波数スペクトルに変換する。抽出手段は、第１の時間領域から変換された周波数スペクトルの振幅成分と比べて、第２の時間領域から変換された周波数スペクトルの振幅成分が相対的に高いピークを有する周波数成分を特定し、共鳴成分として抽出する。合成手段は、予め定められた特性と、この抽出された共鳴成分を減衰させる特性と、を合成する。生成手段は、この合成された特性に補正する。
【図面の簡単な説明】
【０００８】
【図１】図１は、第１の実施形態にかかる音響再生装置の構成を示すブロック図である。
【図２】図２は、インパルス応答算出部により算出されたインパルス応答の例を示した図である。
【図３】図３は、時間領域分割部により分割された後の応答インパルスを示した図である。
【図４】図４は、直接音及び初期反射音成分の周波数スペクトルと、残響音成分の周波数スペクトルと、を示した図である。
【図５】図５は、目標特性と、抽出された筐体共鳴成分の逆特性と、を示した図である。
【図６】図６は、フィルタ生成部により生成された補正フィルタの例を示した図である。
【図７】図７は、フィルタ部によりなされた補正を示した図である。
【図８】図８は、本実施の形態にかかる音響再生装置における、補正フィルタの生成処理の手順を示すフローチャートである。
【発明を実施するための形態】
【０００９】
（第１の実施形態）
図１は、第１の実施形態にかかる音響再生装置１００の構成を示すブロック図である。図１に示すように、音響再生装置１００は、音響補正を行うための音響補正装置が適用された構成となっており、検査用音声信号生成部１０１と、電気／音響出力変換部１０２と、音響／電気入力変換部１０３と、インパルス応答算出部１０４と、時間領域分割部１０５と、周波数成分変換部１０６と、共鳴成分抽出部１０７と、目標特性生成部１１２と、目標特性合成部１０８と、フィルタ生成部１０９と、フィルタ部１１０と、スイッチ１１１と、を備える。
【００１０】
ところで、テレビジョン受像装置を始めとするスピーカを搭載した電子機器は、小型化・薄型化する傾向にある。これら電気機器では、筐体をスピーカボックスと兼用する設計が主流となってきている。電気機器の筐体をスピーカボックスとみなして取り扱う場合、様々な部品を実装する関係から、構造の自由度に制限がある。また、吸音材等を設けることができなく、筐体への工夫によって音響的なマイナス要素を取り除くことが困難である。そのため、電子機器の筐体内部において、スピーカからの背面音は多重反射（定在波の発生）による筐体共鳴や、部品の固有振動による共鳴が引き起こされる。このように電子機器の筐体をスピーカボックスと兼用する設計では、共鳴周波数の音圧レベル変化が、受聴者に違和感を与える原因となる。
【００１１】
また、これらの共鳴音は、直接音に対して大きな遅延を持つため、イコライザを用いて周波数特性を平坦化しても、違和感を軽減できない。そこで、本実施の形態にかかる音響再生装置１００では、後述する構成を備えることで、筐体共鳴音によって受聴者へ違和感を抑止する。このように、本実施の形態では、筐体共鳴音の成分が、音声信号に含まれる残響音成分に含まれるものとして処理する。
【００１２】
スイッチ１１１は、通常の音声信号と、検査用音声信号生成部１０１から入力された検査用音声信号と、から、本実施の形態にかかる音響再生装置１００が出力する音声信号を切り替える。つまり、スイッチ１１１は、補正フィルタを生成する場合には、検査用音声信号生成部１０１とフィルタ部１１０とを接続し、それ以外の場合には、通常の音声信号を出力するための端子とフィルタ部１１０とを接続する。
【００１３】
検査用音声信号生成部１０１は、電気／音響出力変換部１０２及び再生音場の音響特性（インパルス応答）を測定するための検査用音声信号を生成する。本実施の形態にかかる検査用音声信号では、例えば、ホワイトノイズ信号、ピンクノイズ信号、バンドノイズ信号、又はスイープサイン信号等を用いる。また、検査用音声信号は、検査用音声信号生成部１０１測定の度に生成するのではなく、メモリ等に記憶させて読み出しても良い。
【００１４】
電気／音響出力変換部１０２は、検査用音声信号又は受聴対象の音声信号を、電気信号から音響信号に変換し、出力する。また、電気／音響出力変換部１０２は、さらに、デジタル／アナログ変換部や、電力増幅部を含んでも良い。
【００１５】
音響／電気入力変換部１０３は、ユーザの受聴位置に設置され、再生音場１５０を伝播した検査用音声信号を収音し、収音した検査用音声信号について、音響信号から電気信号に変換する。音響／電気入力変換部１０３は、アナログ／デジタル変換部や、電力増幅手段を含んでも良い。
【００１６】
インパルス応答算出部１０４は、電気信号に変換された後の検査用音声信号から、インパルス応答を算出する。本実施の形態にかかるインパルス応答算出部１０４は、収音した検査用音声信号から、出力前の検査用音声信号の逆特性を持つ信号を畳み込むことで、インパルス応答を算出する。図２は、インパルス応答算出部１０４により算出されたインパルス応答の例を示した図である。図２に示すインパルス応答のように、最初のうちは、直接音や初期反射音成分が含まれるため振幅が大きいが、時間が経過するにつれて、残響音成分等のみになるため、振幅が小さくなる。
【００１７】
時間領域分割部１０５は、直接音及び初期反射音成分を含む時間領域として予め定められた第１の時間領域と、残響音成分を含む時間領域として予め定められた第２の時間領域とで、インパルス応答を分割する。
【００１８】
このように、本実施の形態にかかる時間領域分割部１０５は、分割基準時間に基づいて定められた、第１の時間領域と、第２の時間領域と、で分割する。この分割基準時間は、時間領域分割部１０５は、検査用音声信号が移動した経路長を音速で除算することで求められる。
【００１９】
検査用音声信号が移動した経路長は、電気／音響出力変換部１０２から再生音場１５０に対して出力された後、音響／電気入力変換部１０３に入力されるまでの経路長とする。本実施の形態にかかる経路長は、電気／音響出力変換部１０２から出力された音が、音響／電気入力変換部１０３に、直接到達するまでの経路による距離や、電気／音響出力変換部１０２から出力された音に基づく初期反射音が、音響／電気入力変換部１０３に、到達するまでの経路による距離とする。初期反射音とは、電気／音響出力変換部１０２から出力された音が、壁面１６０、又は床面で１次反射した音とする。なお、初期反射音を考慮せず、直接音のみ考慮しても良い。また、時間領域分割部１０５は、分割基準時間の前後で完全に分割するのではなく、オーバーラップしても良い。
【００２０】
例えば、経路長を１ｍ、音速を３４０ｍ／ｓとすると、時間領域分割部１０５は、１ｍを３４０ｍ／ｓで除算して得られる分割基準時間２．９４ｍｓを用いて、インパルス応答を分割する。
【００２１】
そして、分割基準時間より早い時間領域を、直接音及び初期反射音成分を含む第１の時間領域とする。そして、分割基準時間より遅い時間領域を、残響音成分を含む第２の時間領域とする。
【００２２】
経路長は、ユーザが設定してもよいし、レーザ等で計測してもよい。また、出荷前に平均的な部屋サイズ等から経路長が予め設定されていてもよい。
【００２３】
図３は、時間領域分割部１０５により分割された後の応答インパルスを示した図である。図３に示す例では、時間領域分割部１０５は、分割基準時間Ｔを基準として、第１の時間領域３０１と、第２の時間領域３０２と、に分割している。そして、時間領域分割部１０５は、第１の時間領域３０１に含まれる応答インパルス３１１を、直接音及び初期反射音の成分とする。そして、時間領域分割部１０５は、第２の時間領域３０２に含まれる応答インパルス３１２を、筐体共鳴音等を含む残響音の成分とする。
【００２４】
周波数成分変換部１０６は、直接音及び初期反射音成分を含む第１の時間領域のインパルス応答と、残響音成分を含む第２の時間領域のインパルス応答と、を、周波数スペクトルに変換する。本実施の形態にかかる周波数成分変換部１０６は、時間領域毎のインパルス応答に対してフーリエ変換等を用いて、周波数スペクトルに変換するが、どのような手法を用いても良い。なお、フーリエ変換の際は夫々の成分に窓関数を適用しても良い。
【００２５】
共鳴成分抽出部１０７は、直接音及び初期反射音成分の周波数スペクトル、及び残響音成分の周波数スペクトルから、筐体共鳴成分を抽出する。本実施の形態にかかる共鳴成分抽出部１０７は、第１の時間領域から変換された周波数スペクトルの振幅成分と比べて、第２の時間領域から変換された周波数スペクトルの振幅成分が相対的に高い周波数領域を特定し、当該周波数領域の中心周波数、帯域幅及びゲインを筐体共鳴成分として抽出する。
【００２６】
図４は、直接音及び初期反射音成分の周波数スペクトル４０１と、残響音成分の周波数スペクトル４０２と、を示した図である。図４に示すように、残響音成分の周波数スペクトル４０２には、周波数スペクトル４０１と比べて、相対的に高い周波数領域４１０が含まれている。そこで、共鳴成分抽出部１０７は、残響音成分の周波数スペクトル４０２から、相対的に高い周波数領域４１０を抽出する。
【００２７】
この抽出手法の例として、本実施の形態にかかる共鳴成分抽出部１０７は、第１の時間領域から変換された周波数スペクトルと、第２の時間領域から変換された周波数スペクトルとのクロススペクトルから、第１の時間領域から変換された周波数スペクトルを除算したものから、ピークを検出することで、筐体共鳴音等を含む残響音を含む周波数スペクトルの振幅成分が相対的に高い周波数領域を求める。なお、この手法は一例として示したものであり、他の様々な手法を用いて求めても良い。
【００２８】
目標特性生成部１１２は、予め定められた目標特性を生成し、目標特性合成部１０８に対して出力する。目標特性とは、出力された音声信号がユーザに対して一般的に心地よいと感じさせるよう補正を行うための特性とする。本実施の形態にかかる目標特性は、２ｋＨｚまでフラット、それ以降を−３ｄＢ／ｏｃｔとなる特性の例とするが、このような特性に限らず、全領域フラットなど、様々な特性を用いて良い。また、目標特性は、目標特性生成部１１２が生成するのではなく、メモリ等に記憶させて読み出しても良い。
【００２９】
目標特性合成部１０８は、目標特性と、抽出した筐体共鳴成分に基づいて導出された筐体共鳴成分を減衰させる特性と、を合成する。そして、目標特性合成部１０８は、目標特性生成部１１２により生成された目標特性に対して、筐体共鳴成分を減衰させる特性、つまり、筐体共鳴成分として抽出した中心周波数、帯域幅、及びゲインの逆特性を対数加算して、合成する。
【００３０】
図５は、目標特性５０１と、抽出された筐体共鳴成分の逆特性５０２と、を示した図である。そして、目標特性合成部１０８が、図５に示す、目標特性５０１と、抽出された筐体共鳴成分の逆特性５０２と、を合成した特性を生成する。なお、共鳴成分の逆特性５０２のゲインは、実施の態様に基づいて適切な値が設定されるものとする。
【００３１】
フィルタ生成部１０９は、目標特性５０１と、抽出された筐体共鳴成分の逆特性５０２と、を合成した特性に、全体音の周波数スペクトルを補正する補正フィルタを生成する。補正フィルタの生成は、どのような手法を用いても良いが、例えばＬＭＳアルゴリズム等の汎用手段を用いることが考えられる。図６は、フィルタ生成部１０９により生成された補正フィルタの例を示した図である。図６に示す当該補正フィルタを用いて、補正がなされることになる。
【００３２】
フィルタ部１１０は、受聴対象の音声信号を補正する。図７は、フィルタ部１１０によりなされた補正を示した図である。図７に示す例では、電気／音響出力変換部１０２及び再生音場１５０の音響特性７０１に対して、目標特性５０１と、抽出された筐体共鳴成分の逆特性５０２と、を合成した特性７０２となるように補正する例とする。このような補正を行うために、フィルタ部１１０は、図６で示した補正フィルタを用いる。これにより、フィルタによる補正後の音響特性７０３を有する音声信号が、フィルタ部１１０から出力される。出力される信号は、上述した補正が行われているので、筐体共鳴成分が抑止されている。
【００３３】
本実施の形態にかかる音響再生装置１００は、上述した構成を備えることで、音声信号に対して適切なフィルタリングを行うことができる。なお、音響再生装置１００のフィルタを生成するタイミングは、どのようなタイミングで行っても良い。より詳細な補正を行いたい場合には、湿度、カーテンや、ユーザの位置の変更など環境の変化に基づいて、再生音場が変更されるたびに、音響再生装置１００が、当該変更された再生音場に適したフィルタを生成しても良い。また、このような詳細な補正が必要ない場合、音響再生装置１００を出荷する前に、当該音響再生装置１００が配置される平均的な部屋を想定して、予めフィルタを生成しても良い。
【００３４】
次に、本実施の形態にかかる音響再生装置１００における、補正フィルタの生成処理について説明する。図８は、本実施の形態にかかる音響再生装置１００における上述した処理の手順を示すフローチャートである。
【００３５】
まず、検査用音声信号生成部１０１は、検査用音声信号を生成する（ステップＳ８０１）。次に、電気／音響出力変換部１０２は、検査用音声信号を、電気信号から音響信号に変換し、再生音場１５０に出力する（ステップＳ８０２）。
【００３６】
その後、音響／電気入力変換部１０３が、再生音場１５０を伝播した検査用音声信号を収音し、検査用音声信号について、音響信号から電気信号に変換する（ステップＳ８０３）。
【００３７】
そして、インパルス応答算出部１０４は、電気信号に変換された後の検査用音声信号から、インパルス応答を算出する（ステップＳ８０４）。
【００３８】
次に、時間領域分割部１０５は、分割基準時間に基づいて、時間領域毎（第１の時間領域及び第２の時間領域）で、インパルス応答を分割する（ステップＳ８０５）。
【００３９】
その後、周波数成分変換部１０６は、時間領域毎のインパルス応答を、周波数スペクトルに変換する（ステップＳ８０６）。
【００４０】
そして、共鳴成分抽出部１０７は、直接音及び初期反射音成分の周波数スペクトル、及び残響音成分の周波数スペクトルから、筐体共鳴成分を抽出する（ステップＳ８０７）。
【００４１】
次に、目標特性合成部１０８は、予め定められた目標特性と、筐体共鳴成分を減衰させる特性と、を合成する（ステップＳ８０８）。
【００４２】
その後、フィルタ生成部１０９は、目標特性と、抽出された筐体共鳴成分の逆特性と、を合成した特性に補正する補正フィルタを生成する（ステップＳ８０９）。
【００４３】
そして、上述した処理手順で生成された補正フィルタを用いて、フィルタ部１１０がフィルタリングを行うこととする。
【００４４】
従来は、筐体共鳴を考慮せず、例えば目標特性が平坦な周波数特性などの補正を行っていることが多かった。このため、補正後でも筐体共鳴成分が残り、受聴者に対して聴感上の違和感を与えていた。
【００４５】
これに対し、本実施の形態にかかる音響再生装置１００では、上述した構成で生成された補正フィルタを用いて、補正を行うことで、スピーカ及び再生音場の音響特性を目標特性に補正する際、筐体共鳴成分を抑止する補正も行われることとした。これにより、筐体共鳴音（箱鳴り）を低減できる。これにより、音響再生時に受聴者に対する違和感を取り除くことができる。
【００４６】
また、従来の手法で、筐体共鳴減衰と、周波数特性補正と、を考慮すると仮定した場合、通常、夫々にフィルタを割り当てると考えられる。これに対し、本実施の形態にかかる音響再生装置１００では、目標特性に筐体共鳴を減衰させる特性を合成することで、複数フィルタを備える必要がなくなり、ハードウェアリソース又はソフトウェアリソースを削減できる。
【００４７】
本実施の形態においては、テレビジョン受像装置内に備えられる音響再生装置１００の場合について説明したが、他の装置に適用しても良い。例えば、ＰＣ等に備え付けられる外部スピーカでも良い。ＣＤプレイヤーなどの音響機器であっても良い。さらには、携帯電話に内蔵されても良いし、ヘッドフォンに対して適用しても良い。
【００４８】
テレビジョン受像装置内に備えられる音響再生装置１００は、ＣＰＵと、ＲＯＭと、ＲＡＭと、を含んだハードウェア構成となっている。本実施形態の音声処理プログラムを、ＲＯＭ等に予め組み込んで提供するように構成してもよい。
【００４９】
本実施の形態の音響再生装置１００で実行される音響処理プログラムは、上述した各部（検査用音声信号生成部、電気／音響出力変換部、音響／電気入力変換部、インパルス応答算出部、時間領域分割部、周波数成分変換部、共鳴成分抽出部、目標特性合成部、フィルタ生成部、フィルタ部）を含むモジュール構成となっている。そして、実際のハードウェアとしてはＣＰＵが上記記憶媒体から音響処理プログラムを読み出して実行することにより上記各部がＲＡＭ上にロードされ、検査用音声信号生成部、電気／音響出力変換部、音響／電気入力変換部、インパルス応答算出部、時間領域分割部、周波数成分変換部、共鳴成分抽出部、目標特性合成部、フィルタ生成部、フィルタ部がＲＡＭ上に生成される。
【００５０】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００５１】
１００  音響再生装置
１０１  検査用音声信号生成部
１０２  電気／音響出力変換部
１０３  音響／電気入力変換部
１０４  インパルス応答算出部
１０５  時間領域分割部
１０６  周波数成分変換部
１０７  共鳴成分抽出部
１０８  目標特性合成部
１０９  フィルタ生成部
１１０  フィルタ部
１１１  スイッチ
【図１】
2012015792.tif 000003
【図２】
2012015792.tif 000004
【図３】
2012015792.tif 000005
【図４】
2012015792.tif 000006
【図５】
2012015792.tif 000007
【図６】
2012015792.tif 000008
【図７】
2012015792.tif 000009
【図８】
2012015792.tif 000010
【手続補正書】
【提出日】平成23年9月15日(2011.9.15)
【手続補正１】
【補正対象書類名】特許請求の範囲
【補正対象項目名】全文
【補正方法】変更
【補正の内容】
【特許請求の範囲】
【請求項１】
再生音場を伝播した音声信号を入力する入力手段と、
前記音声信号からインパルス応答を算出する算出手段と、
直接音又は初期反射音を含むものとして予め定められた第１の時間領域と、残響音成分を含むものとして予め定められた第２の時間領域とで、前記インパルス応答を分割する分割手段と、
前記第１の時間領域の前記インパルス応答と、前記第２の時間領域の前記インパルス応答とを、それぞれ周波数スペクトルに変換する変換手段と、
前記第１の時間領域の前記インパルス応答から変換された前記周波数スペクトルと、前記第２の時間領域の前記インパルス応答から変換された前記周波数スペクトルと、に基づいて算出されたクロススペクトルから、前記第１の時間領域から変換された周波数スペクトルの振幅成分と比べて、前記第２の時間領域から変換された周波数スペクトルの振幅成分が相対的に高いピークを有する周波数成分を特定し、これを共鳴成分として抽出する抽出手段と、
予め定められた特性と、この抽出された前記共鳴成分を減衰させる特性と、を合成する合成手段と、
受聴対象の音声信号を、この合成された特性に補正する補正フィルタを生成する生成手段と、
を備えることを特徴とする音響補正装置。
【請求項２】
前記分割手段は、再生音場において出力された音が前記入力手段に直接到達するまでの経路長、または壁面あるいは床面で１次反射した音が前記入力手段に到達するまでの経路長と、音速と、に基づいて定められた前記第１の時間領域と、前記第２の時間領域とで、前記インパルス応答を分割すること、
を特徴とする請求項１に記載の音響補正装置。
【請求項３】
音声信号を出力する出力手段と、
前記出力手段により出力された後、再生音場を伝播した前記音声信号を入力する入力手段と、
前記音声信号からインパルス応答を算出する算出手段と、
直接音又は初期反射音を含むものとして予め定められた第１の時間領域と、残響音成分を含むものとして予め定められた第２の時間領域とで、前記インパルス応答を分割する分割手段と、
前記第１の時間領域の前記インパルス応答と、前記第２の時間領域の前記インパルス応答と、を、それぞれ周波数スペクトルに変換する変換手段と、
前記第１の時間領域の前記インパルス応答から変換された前記周波数スペクトルと、前記第２の時間領域の前記インパルス応答から変換された前記周波数スペクトルと、に基づいて算出されたクロススペクトルから、前記第１の時間領域から変換された周波数スペクトルの振幅成分と比べて、前記第２の時間領域から変換された周波数スペクトルの振幅成分が相対的に高いピークを有する周波数成分を特定し、これを共鳴成分として抽出する抽出手段と、
予め定められた特性と、この抽出された前記共鳴成分を減衰させる特性と、を合成する合成手段と、
受聴対象の音声信号を、この合成された特性に補正する補正フィルタを生成する生成手段と、
前記生成手段により生成された前記補正フィルタを用いて、前記出力手段が出力する前記音声信号に対してフィルタリングを行うフィルタ手段と、
を備えることを特徴とする音響出力装置。
【請求項４】
再生音場の音響特性を測定するための音声信号を生成する信号生成手段を、さらに備え、
前記出力手段は、前記信号生成手段により生成された前記音声信号を出力すること、
を特徴とする請求項３に記載の音響出力装置。
【請求項５】
音響補正装置で実行される音響補正方法であって、
入力手段が、再生音場を伝播した音声信号を入力する入力ステップと、
算出手段が、前記音声信号からインパルス応答を算出する算出ステップと、
分割手段が、直接音又は初期反射音を含むものとして予め定められた第１の時間領域と、残響音成分を含むものとして予め定められた第２の時間領域とで、前記インパルス応答を分割する分割ステップと、
変換手段が、前記第１の時間領域の前記インパルス応答と、前記第２の時間領域の前記インパルス応答と、を、それぞれ周波数スペクトルに変換する変換ステップと、
抽出手段が、前記第１の時間領域の前記インパルス応答から変換された前記周波数スペクトルと、前記第２の時間領域の前記インパルス応答から変換された前記周波数スペクトルと、に基づいて算出されたクロススペクトルから、前記第１の時間領域から変換された周波数スペクトルの振幅成分と比べて、前記第２の時間領域から変換された周波数スペクトルの振幅成分が相対的に高いピークを有する周波数成分を特定し、これを共鳴成分として抽出する抽出ステップと、
合成手段が、予め定められた特性と、この抽出された前記共鳴成分を減衰させる特性と、を合成する合成ステップと、
生成手段が、受聴対象の音声信号を、この合成された特性に補正する補正フィルタを生成する生成ステップと、
を含むことを特徴とする音響補正方法。
【手続補正２】
【補正対象書類名】明細書
【補正対象項目名】０００７
【補正方法】変更
【補正の内容】
【０００７】
実施形態の音響補正装置は、入力手段と、算出手段と、分割手段と、変換手段と、抽出手段と、合成手段と、生成手段と、を備える。入力手段は、再生音場を伝播した音声信号を入力する。算出手段は、音声信号からインパルス応答を算出する。分割手段は、直接音又は初期反射音を含むものとして、予め定められた第１の時間領域と、残響音成分を含むものとして、予め定められた第２の時間領域とで、インパルス応答を分割する。変換手段は、第１の時間領域のインパルス応答と、第２の時間領域のインパルス応答と、を、それぞれ周波数スペクトルに変換する。抽出手段は、前記第１の時間領域の前記インパルス応答から変換された前記周波数スペクトルと、前記第２の時間領域の前記インパルス応答から変換された前記周波数スペクトルと、に基づいて算出されたクロススペクトルから、第１の時間領域から変換された周波数スペクトルの振幅成分と比べて、第２の時間領域から変換された周波数スペクトルの振幅成分が相対的に高いピークを有する周波数成分を特定し、共鳴成分として抽出する。合成手段は、予め定められた特性と、この抽出された共鳴成分を減衰させる特性と、を合成する。生成手段は、この合成された特性に補正する。